(57)【要約】【課題】装着体の設置箇所の状況の如何にかかわらず設置が確実に行なえるとともに、装着体の落下を防止するスタンド装置を提供する。【解決手段】スタンド装置１０は、載置面に固定されるスタンドベース２０と、スタンドベース３０に着脱自在であって装着体を被装着部３０５によって装着するスタンド３０とからなり、スタンドベース２０の上部に面が平坦で滑らかな滑面２０３を形成し、スタンド３０に吸盤３０２を形成し、吸盤３０２を滑面２０３に吸着するとともに補助ストラップ２０４によりタンドベース２０とスタンドベース３０とを係止することによりスタンド３０に装着した装着体を所定箇所に設置するように構成した。【選択図】図１
2010271474.tif 000002
【特許請求の範囲】
【請求項１】
載置面に固定されるスタンドベースと、該スタンドベースに着脱自在であって装着体を装着するスタンドと、からなるスタンド装置であって、
前記スタンドベース上に前記スタンドを着脱自在に連結させる連結手段と、
前記スタンドベースと前記スタンドとの分離を防止する係止手段と、
を備えてなることを特徴とするスタンド装置。
【請求項２】
前記連結手段は、前記スタンドベースの上部に形成された表面が平坦で滑らかな滑面と、前記スタンドに形成されて吸着により前記滑面に取付けられる吸着手段と、によって構成されていることを特徴とする請求項１に記載のスタンド装置。
【請求項３】
前記係止手段は、先端に開口部を有する帯状部材と、前記開口部に嵌通される突起部材と、からなり、前記帯状部材と前記突起部材との何れか一方を前記スタンドベースに設け、他方を前記スタンドに設けたことを特徴とする請求項１又は請求項２に記載のスタンド装置。
【発明の詳細な説明】
【技術分野】
【０００１】
本発明は、設置箇所に固定されるスタンドベースと、スタンドベースに着脱自在であって装着体を装着するスタンドとからなるスタンド装置に関し、特に、装着体を車両などに設置して使用する場合に適用されるスタンド装置に関するものである。
【背景技術】
【０００２】
近年、車載用電子機器として音響・映像再生機能やデジタル放送受信機能を内蔵したナビゲーション装置が普及している。これらの車載用電子機器は、車内のダッシュボードなどに固定されたスタンド装置に取付けられている。
【０００３】
この種のスタンド装置としては、例えば、下記の特許文献１（特開平８−２９５１８５号公報）に示す従来技術が提案されている。この従来の着脱式スタンドにおいては、車載用電子機器としてのＧＰＳモニターを装着したアタッチメントをベース雲台によってスタンドベースに対して選択的に着脱可能に連結するようにしたものである。また、この着脱式スタンド装置には、ベース雲台の旋回位置をロックする旋回ロック機能部が設けられている。
【０００４】
これにより、ＧＰＳモニターは左右方向に向きを自由に旋回操作して所望の位置でロックして使用できる。また、スタンドベースをダッシュボードに固定する方法としては吸盤を用いることも考えられている。
【先行技術文献】
【特許文献】
【０００５】
【特許文献１】特開平８−２９５１８５号公報（段落［００１６］〜段落［００２０］、段落［００２６］）
【発明の概要】
【発明が解決しようとする課題】
【０００６】
しかしながら、従来の着脱式スタンドにおいては、アタッチメントをスタンドベースに着脱する際に、アタッチメント側の円形ロック片をスタンドベース側のベース雲台組込溝に挿入する作業を直視して行う必要があるため、フロントガラスなどが邪魔になって迅速に着脱作業を行うことができないという問題点があった。
【０００７】
そこで、アタッチメントの取り付け作業を簡易に行うために吸盤を用いてアタッチメントを取り付けることが考えられるが、例えばダッシュボードのようにシボ加工が施された複雑な凹凸模様により形成されている設置箇所では吸盤による吸着力が十分に得られないため、設置箇所が大きく制限されてしまうという問題点があった。
【０００８】
また、近年、車載用電子機器は高性能化が進み、これに伴って機器自体が大型化、重量化する傾向にあるため、吸盤による取り付けだけでは車両の振動などによってアタッチメントが設置箇所から外れて落下したり、機器が破損したりする虞があるという問題点があった。
【０００９】
したがって、本発明は、上記の問題点を解消することを課題とし、装着体の設置箇所の状況の如何にかかわらず設置が確実に行なえるとともに、装着体の落下を防止することが可能なスタンド装置を提供することを目的とするものである。
【課題を解決するための手段】
【００１０】
前記課題を解決するため、本願の請求項１に係る発明は、
載置面に固定されるスタンドベースと、該スタンドベースに着脱自在であって装着体を装着するスタンドと、からなるスタンド装置であって、
前記スタンドベース上に前記スタンドを着脱自在に連結させる連結手段と、
前記スタンドベースと前記スタンドとの分離を防止する係止手段と、
を備えてなることを特徴とする。
【００１１】
また、本願の請求項２に係る発明は、請求項１に係るスタンド装置において、
前記連結手段は、前記スタンドベースの上部に形成された表面が平坦で滑らかな滑面（例えば下記実施例では、滑面２０３に相当する）と、前記スタンドに形成されて吸着により前記滑面に取付けられる吸着手段（例えば下記実施例では、吸盤３０２に相当する）と、によって構成されていることを特徴とする。
【００１２】
また、本願の請求項３に係る発明は、請求項１又は請求項２に係るスタンド装置において、
前記係止手段は、先端に開口部を有する帯状部材（例えば下記実施例では、補助ストラップ２０４に相当する）と、前記開口部に嵌通される突起部材（例えば下記実施例では、突起部材３０８に相当する）と、からなり、前記帯状部材と前記突起部材との何れか一方を前記スタンドベースに設け、他方を前記スタンドに設けたことを特徴とする。
【発明の効果】
【００１３】
本発明のスタンド装置は、次に示すような優れた効果を奏する。
【００１４】
すなわち、請求項１に係る発明においては、スタンド装置は、スタンドベースが載置面に固定して設置され、その上に装着体を装着するスタンドが連結手段によって着脱自在に連結されるとともに、スタンドベースとスタンドとを係止手段によって分離自在に連結している。
【００１５】
このような構成によれば、不用意に連結手段による連結が解除されていしまった場合、スタンドとスタンドベースが係止手段により連結されているので、装着体が設置箇所から落下し破損してしまう事故を確実に防止することができるスタンド装置を提供できる。
【００１６】
また、請求項２に係る発明においては、請求項１に係るスタンド装置において、スタンドベースが載置面に固定して設置されており表面に平坦な滑面を有している。そして、装着体を装着するスタンドに吸着手段が設けられている。
【００１７】
このような構成によれば、装着体を設置箇所に設置する場合は、装着体を装着して支持するスタンドをスタンドベースの表面に吸着手段を吸着させるだけでよい。一方、装着体をスタンドから取外して使用する場合は、吸着手段による滑面への吸着を解除しスタンドをスタンドベースから取除くことができる。そのため、確実にして迅速な装着体の設置、取外しができるスタンド装置を提供できる。
【００１８】
また、請求項３に係る発明においては、請求項１又は請求項２に係るスタンド装置において、スタンドベースとスタンドの何れか一方に先端に開口部を有する帯状部材を設けると共に他方に帯状部材の開口部に嵌通される突起部材を設け、この帯状部材と突起部材とによって分離自在に連結している。
【００１９】
このような構成によれば、不用意に連結手段による連結が解除されていしまった場合、スタンドとスタンドベースが帯状部材と突起部材とからなる係止機構により連結されているので、装着体が設置箇所から落下し破損してしまう事故を確実に防止することができる。また、帯状部材と突起部材とは容易に係止解除させることができるので、スタンドをスタンドベースから取外すことに支障を生じないスタンド装置を提供できる。
【図面の簡単な説明】
【００２０】
【図１】本発明の一実施例に係るスタンド装置を示す側面図であり、図１（Ａ）は、スタンド装置をスタンドベースとスタンドに分離した状態を示し、図１（Ｂ）は、スタンドベースにスタンドを吸着させて一体にした状態を示し、図１（Ｃ）は、図１（Ｂ）に示すスタンド装置においてスタンドベースとスタンドとを補助ストラップで係止させた状態を示している。
【図２】図１（Ｃ）におけるスタンドベースとスタンドとを補助ストラップで係止させた状態を示す背面図である。
【図３】図１（Ｂ）におけるスタンドベースにスタンドを吸着させて一体にした状態を示す平面図である。
【図４】図３におけるＡ−Ａ線で切断した断面図である。
【図５】本発明の一実施例に係るスタンド装置の主要部を示す斜視図であり、図５（Ａ）は、スタンドベースにスタンドを吸着させて一体にした状態を示し、図５（Ｂ）は、図５（Ａ）に示すスタンド装置においてスタンドベースとスタンドとを補助ストラップで係止させた状態を示している。
【発明を実施するための形態】
【００２１】
以下、本発明の具体例を実施例及び図面を用いて詳細に説明する。但し、以下に示す実施例は、本発明の技術思想を具体化するためのスタンド装置を例示するものであって、本発明をこのスタンド装置に特定することを意図するものではなく、特許請求の範囲に含まれるその他の実施形態のスタンド装置にも等しく適用し得るものである。
【実施例】
【００２２】
本実施例に係るスタンド装置１０は、図１で示すように、装着体である携帯型ナビケーション装置４０を車両に搭載するために用いられるものであり、スタンドベース２０とスタンド３０とで構成されている。
【００２３】
携帯型ナビゲーション装置４０は、図１〜図３で示すように、偏平で矩形の筐体４０１と、筐体４０１の前面にタッチパネル式の表示操作面４０２と、筐体４０１の背面中央部に設けられたスタンド装置１０を装着するための装着部（図示せず）とを備え、筐体４０１内には、ナビゲーション機能、音響・映像再生機能、デジタル放送受信機能、電池などが内蔵されている。携帯型ナビゲーション装置４０は、車両に搭載されたときには車両から電力の供給を受けて使用され、車両外で携帯されたときには内蔵する電池から電力の供給を受けて使用される。
【００２４】
スタンドベース２０は、図１〜図５で示すように、プレート２０１と、プレート２０１上に設けられた円錐台形状の台座２０２と、台座２０２の上部に形成した表面が平坦で滑らかな滑面２０３と、台座２０２の側面に形成した補助ストラップ２０４と、から構成されている。補助ストラップ２０４は、合成樹脂材などによって紐状に成形され、その先端にはスタンド３０側に設けられた突起部材３０８に嵌通される開口部２０４ａが形成されている。
【００２５】
スタンド３０は、図１〜図５で示すように、支持部３０１と、支持部３０１の底面に設けられ滑面２０３と略同径の吸着面からなる吸盤３０２と、支持部３０１の下部に設けられ吸盤３０２を覆う凸球面状のスタンドカバー３０３と、支持部３０１の上部に設けられ上下に回動する連結アーム３０４と、連結アーム３０４の先端に設けられ携帯型ナビゲーション装置４０を着脱自在に装着する被装着部３０５と、支持部３０１の上部に設けられた吸盤装着レバー３０６と、支持部３０１の一側面に設けられた連結アームの上下回動を固定するための固定レバー３０７と、スタンドカバー３０３の端部に設けられ突起部材３０８と、から構成されている。
【００２６】
また、図１、図２及び図４で示すように、突起部材３０８の先端は、スタンドベース２０側に設けられたに補助ストラップ２０４の開口部２０４ａに嵌め込まれるとともに、図１（Ｃ）又は図２で示す係止状態から図１（Ｂ）又は図３で示す非係止状態に補助ストラップ２０４が自然に戻ろうとする際に容易に係止状態が解かれないようにボール状に成形されている。
【００２７】
さらに、スタンドカバー３０３に覆われた吸盤３０２との間の中空状の空間３０９には、吸盤装着レバー３０６の回動操作に連動して上下に可動する変位機構（図示せず）が設けられている。この変位機構は、吸盤３０２の背面に当接されており、吸盤装着レバー３０６を図１（Ａ）で示す起立状態から図１（Ｂ）で示す倒伏状態に回転軸３０６ｂを中心に回動させると、一旦滑面２０３に近づいてから離れる方向に変位する。これにより、吸盤３０２は一旦滑面２０３に装着されてから吸盤３０２の中央部分が滑面２０３から引き離されるため、吸盤３０２の吸着面と滑面２０３との間に真空状態が生じて吸着状態となる。
【００２８】
なお、吸盤装着レバー３０６は、図３で示すように、吸盤装着レバー３０６の両側に設けられたスライドレバー３０６ａを矢印の方向へスライドさせた状態で上下に動かすことができる構成になっている。そして、吸盤３０２をスタンドベース２０の設置位置（滑面２０３）に載置した状態で吸盤装着レバー３０６押し下げると（図１（Ｂ）及び（Ｃ）の状態）、吸盤が吸着状態となり、吸盤装着レバー３０６押し上げると（図１（Ａ）の状態）、吸盤が非吸着状態となる仕組みになっている。
【００２９】
また、図２及び図３で示すように、吸盤３０２の外縁には吸盤と一体成形された突出片３０２ａが突設されており、この突出片３０２ａは、スタンドカバー３０３の外縁端から上面に露出している。このため、この突出片３０２ａを引っ張ることで滑面２０３と吸盤３０２との間に生じている真空状態の間隙に空気が入り吸着力が弱まるので、吸盤３０２が滑面２０３から外れることになる。
【００３０】
このように、スタンド３０に設けられた吸盤装着レバー３０６と変位機構により、スタンドベース２０に対するスタンド３０の取付け状態を固定するための機構が構成されている。また、スタンドベース２０に設けられた補助ストラップ２０４とスタンド３０に設けられた突起部材３０８とにより、スタンドベース２０に対するスタンド３０の係止状態を保持するための機構が構成されている。
【００３１】
さらに、スタンド３０に設けられた吸盤装着レバー３０６と変位機構、及びスタンド３０に設けられた突出片３０２ａなどにより、吸盤３０２と滑面２０３との吸着状態を解除してスタンド３０をスタンドベース２０から取り外すための機構が構成されている。
【００３２】
なお、被装着部３０５の詳細は、図１〜図３において省略して図示されていないが、連結アーム３０４とネジによって螺合されている。また、被装着部３０５は携帯型ナビケーション装置４０を装着した状態を保持するロック機構（図示せず）を有している。
【００３３】
次に、上述した本実施例のスタンド装置１０の設置方法について説明する。
【００３４】
まず、図１（Ａ）で示すように、スタンド３０と分離したスタンドベース２０を用意し、このスタンドベース２０を車両などのダッシュボードの携帯型ナビゲーション装置４０を設置すべき箇所に、そのプレート２０１の底面に両面テープを貼着して固定する。
【００３５】
そして、図１（Ａ）で示すように、被装着部３０５に携帯型ナビゲーション装置４０を装着したスタンド３０を用意し、この吸盤３０２を固定されたスタンドベース２０の滑面２０３に押し当て、吸盤装着レバー３０６のスライドレバー３０６ａを矢印方向（図４参照）にスライドさせた状態で吸盤装着レバー３０６を押し下げて図１（Ａ）で示す起立状態から図１（Ｂ）で示す倒伏状態に回動させると、吸盤３０２が滑面２０３に装着されて、その後吸盤３０２の中央部分が滑面２０３から引き離されて、吸盤３０２と滑面２０３との間に真空状態が生じて吸着状態となる。そして、吸盤装着レバー３０６のスライドレバー３０６ａを元の位置（図１（Ｂ）及び図５（Ａ）の状態）に戻すと、スタンド３０はスタンドベース２０上に固定される。
【００３６】
次に、図１（Ｃ）及び図５（Ｂ）で示すように、スタンドベース２０上にスタンド３０が固定された状態において、スタンドベース２０に設けられた補助ストラップ２０４の開口部２０４ａをスタンド３０に設けられた突起部材３０８に嵌め込むことによりスタンドベース２０とスタンド３０とを係止状態とする。
【００３７】
このようにして、スタンド３０はスタンドベース２０に取付けられ、図３で示すように、携帯型ナビゲーション装置４０は、固定レバー３０７により上下方向の向きが調整されて車両に搭載された状態で使用される。
【００３８】
ここで、スタンド３０は初めに携帯型ナビゲーション装置４０を装着せずにスタンドベース２０に取り付け、その後に携帯型ナビゲーション装置４０を装着するようにしてもよい。
【００３９】
車両に搭載された携帯型ナビケーション装置４０を取外す場合は、図１（Ｂ）及び図５（Ａ）で示すように、補助ストラップ２０４を突起部材３０８から外してスタンドベース２０とスタンド３０との係止状態を解除する。そして、吸盤装着レバー３０６のスライドレバー３０６ａを矢印方向（図４参照）にスライドさせた状態で吸盤装着レバー３０６を図１（Ａ）で示す起立状態に引き上げた後、突出片３０２ａを摘んで引っ張ることで滑面２０３から吸盤３０２を一部剥がすことにより、吸盤３０２による滑面２０３への吸着状態を解除し、スタンド３０を上方に持ち上げてスタンドベース２０から離す。
【００４０】
このようにスタンドベース２０上から取外されたスタンド３０と携帯型ナビゲーション装置４０は他の場所に設置されたスタンドベースに取付けることが可能となる。また、携帯型ナビゲーション装置４０はスタンド３０と分離して携帯用として使用することが可能となる。
【００４１】
従って、上述した本発明の一実施例のスタンド装置１０によれば、スタンドベース２０は設置箇所に固定して設置されており表面が平坦な滑面２０３を有している。そして、携帯型ナビゲーション装置４０を被装着部３０５によって装着するスタンド３０には吸盤３０２が設けられている。
【００４２】
そのため、携帯型ナビゲーション装置４０をスタンド装置１０から取外して使用する場合は、吸盤３０２による滑面２０３への吸着を解除しスタンド３０をスタンドベース２０から取除くことができる。そのため、設置箇所には不用になったスタンド３０は存在せず、簡素な構成で高さを低くできるスタンドベース２０だけを残すので邪魔なものがなくなる。特に、車両用に用いた場合には視界を妨げることがなくなる。
【００４３】
一方、携帯型ナビゲーション装置４０を車両に設置する場合は、携帯型ナビゲーション装置４０を装着して支持するスタンド３０をスタンドベース２０の滑面２０３に吸盤３０２を吸着させるだけでよい。そのため、設置作業は手探りであっても可能となり、例えば車両のダッシュボードに設置する場合、フロントガラスがあっても迅速かつ確実に設置を行なうことができる。
【００４４】
また、設置箇所はスタンドベース２０が接着などにより固定できる面であればよい。そのため、設置面がシボ加工などを施された面、湾曲している面など如何なる状態であってもスタンドベース２０を確実に固定できる。その結果、スタンド３０でもって携帯型ナビゲーション装置４０を設置箇所に設置する構成は、スタンドベース２０の設置箇所への接着などによる固定と、吸盤３０２によるスタンド３０のスタンドベース２０への固定とに独立させ、夫々の利点を損なうことがないよう形成されている。従って、携帯型ナビゲーション装置４０はスタンド３０を介して容易に設置あるいは取外しを行うことができる。
【００４５】
また、スタンドベース２０には先端に開口部２０４ａを有する補助ストラップ２０４を設け、スタンド３０には突起部材３０８を設けている。そして、この補助ストラップ２０４と突起部材３０８とによって分離自在に連結している。
【００４６】
そのため、吸盤３０２による吸着力が低下し、不用意にスタンド３０がスタンドベース２０から外れてしまっても補助ストラップ２０４と突起部材３０８とが連結されているので、携帯型ナビゲーション装置４０が設置箇所から落下して破損してしまう事故を防止できる。特に、このような構成は携帯型ナビゲーション装置４０を車両内に設置して使用する場合に有用である。
【００４７】
なお、上記実施例においては、スタンドベース２０に補助ストラップ２０４を設け、スタンド３０に突起部材３０８を設けているが、本発明はこれに限定されることなく、スタンドベース２０に突起部材３０８を設け、スタンド３０に補助ストラップ２０４を設ける構成にしてもよい。
【００４８】
また、上記実施例においては、装着体としては携帯型ナビゲーション装置４０としたが、本発明はこれに限定されることなく、携帯通信機器や携帯音楽再生装置、その他の各種電子機器などにも適用できる。
【符号の説明】
【００４９】
１０・・・・・スタンド装置
２０・・・・・スタンドベース
３０・・・・・スタンド
４０・・・・・携帯型ナビゲーション装置
２０１・・・・プレート
２０２・・・・台座
２０３・・・・滑面
２０４・・・・補助ストラップ
２０４ａ・・・開口部
３０１・・・・支持部
３０２・・・・吸盤
３０２ａ・・・突出片
３０３・・・・スタンドカバー
３０４・・・・連結アーム
３０５・・・・被装着部
３０６・・・・吸盤装着レバー
３０６ａ・・・スライドレバー
３０６ｂ・・・回転軸
３０７・・・・固定レバー
３０８・・・・突起部材
３０９・・・・中空状の空間
【図１】
2010271474.tif 000003
【図２】
2010271474.tif 000004
【図３】
2010271474.tif 000005
【図４】
2010271474.tif 000006
【図５】
2010271474.tif 000007